(57)【特許請求の範囲】
【請求項１】
交流電源からの交流を全波整流して脈流を出力する整流回路と、
前記整流回路の正極端子と負極端子との間に設けられ、複数のＬＥＤと各々のＬＥＤ間に接続されたダイオードとが直列に接続された直列回路と、
前記整流回路の正極端子と前記ＬＥＤのアノード間及び前記整流回路の負極端子と前記ＬＥＤのカソード間に接続され、前記整流回路から出力された電流を前記複数のＬＥＤのいずれに流すかを切り替えるスイッチ素子と、
前記複数のＬＥＤに流れる電流を検出する電流検出回路と、
前記電流検出回路で検出された電流に応じて前記スイッチ素子をオンまたはオフさせることにより前記複数のＬＥＤに流す電流を制御する制御回路と、
を備え、
前記複数のＬＥＤは、第１ＬＥＤと第２ＬＥＤとを含み、
前記スイッチ素子は、第１スイッチ素子と第２スイッチ素子とを含み、
前記制御回路は、前記電流検出回路の電流値が第１所定値を超えたとき前記第１スイッチ素子と前記第２スイッチ素子とをオフさせて前記第１ＬＥＤと前記第２ＬＥＤとを直列接続に切り替え、前記電流値が前記第１所定値より小さい第２所定値未満となったとき前記第１スイッチ素子と前記第２スイッチ素子とをオンさせて前記第１ＬＥＤと前記第２ＬＥＤとを並列接続に切り替えて前記整流回路の出力を供給し、
前記整流回路の負極端子と前記複数のＬＥＤのカソードとの間に接続されるスイッチ素子はＭＯＳＦＥＴからなり、該ＭＯＳＦＥＴはセンスＭＯＳを備え、前記複数のＬＥＤに流れる電流を検出する電流検出回路を形成することを特徴とするＬＥＤ駆動回路。
【請求項２】
前記複数のＬＥＤ以外は集積回路により構成されていることを特徴とする請求項１記載のＬＥＤ駆動回路。
【請求項３】
請求項１又は請求項２記載のＬＥＤ駆動回路を含むことを特徴とするＬＥＤ照明装置。
【発明の詳細な説明】
【技術分野】
【０００１】
本発明は、ＬＥＤ（ＬＥＤ）照明装置のＬＥＤを点灯させるＬＥＤ駆動回路及びＬＥＤ照明装置に関する。
【背景技術】
【０００２】
従来、交流電源からの交流をダイオードブリッジで整流した直後の脈流から第１及び第２ＬＥＤアレイに印加される電圧に対応する被比較電圧が所定の閾値電圧より低い間は第１及び第２ＬＥＤアレイによる並列接続回路を形成し、閾値電圧以上の間は第１及び第２ＬＥＤアレイによる直列接続回路を形成し、被比較電圧が所定の閾値電圧よりも低い間の第１及び第２ＬＥＤアレイに流れる電流を増加させ、低価格及び小型であるにも拘わらず発光光量を増加させることができるＬＥＤ駆動回路が知られている（特許文献１）。
【先行技術文献】
【特許文献】
【０００３】
【特許文献１】特開２００９−２８３７７５号公報
【発明の概要】
【発明が解決しようとする課題】
【０００４】
しかしながら、特許文献１に開示された従来のＬＥＤ駆動回路では、第１及び第２ＬＥＤアレイの接続を切り替えるためには、少なくとも３個のスイッチ素子と、これらをオン／オフさせる制御回路が必要であり、ＬＥＤ駆動回路の構成が複雑になって大型かつ高価になるという問題がある。
【０００５】
また、入力電圧が、第１及び第２ＬＥＤアレイの順方向電圧ＶＦより大きくないと、第１及び第２ＬＥＤアレイに電流が流れないので、導通角が狭く、力率が悪くなる。また、特許文献１に開示された従来のＬＥＤ駆動回路では、電流を流せる範囲が狭いため、第１及び第２ＬＥＤアレイの不点灯時間が長くなる。その結果、ＬＥＤに望まれる明るさを確保できないという問題がある。
【０００６】
さらに、従来のＬＥＤ駆動回路は、電圧でスイッチ素子をオン／オフさせて並列接続回路と直列接続回路とを切り替えるように構成されているので、交流電源の電圧が変動（例えば、１００Ｖ→１１０Ｖまたは１００Ｖ→９０など）すると、ダイオードブリッジから出力される電圧が変動し、スイッチ素子がオン／オフするタイミングが変動する。このため、ＬＥＤの明るさにむらが生じるという問題がある。
【０００７】
本発明の課題は、均一な明るさでＬＥＤを点灯でき、しかも低価格化及び小型化できるＬＥＤ駆動回路及びＬＥＤ照明装置を提供することにある。
【課題を解決するための手段】
【０００８】
上記の課題を解決するために、本発明に係るＬＥＤ駆動回路は、交流電源からの交流を全波整流して脈流を出力する整流回路と、前記整流回路の正極端子と負極端子との間に設けられ、複数のＬＥＤと各々のＬＥＤ間に接続されたダイオードとが直列に接続された直列回路と、前記整流回路の正極端子と前記ＬＥＤのアノード間及び前記整流回路の負極端子と前記ＬＥＤのカソード間に接続され、前記整流回路から出力された電流を前記複数のＬＥＤのいずれに流すかを切り替えるスイッチ素子と、前記複数のＬＥＤに流れる電流を検出する電流検出回路と、前記電流検出回路で検出された電流に応じて前記スイッチ素子をオンまたはオフさせることにより前記複数のＬＥＤに流す電流を制御する制御回路とを備え、前記複数のＬＥＤは、第１ＬＥＤと第２ＬＥＤとを含み、前記スイッチ素子は、第１スイッチ素子と第２スイッチ素子とを含み、前記制御回路は、前記電流検出回路の電流値が第１所定値を超えたとき前記第１スイッチ素子と前記第２スイッチ素子とをオフさせて前記第１ＬＥＤと前記第２ＬＥＤとを直列接続に切り替え、前記電流値が前記第１所定値より小さい第２所定値未満となったとき前記第１スイッチ素子と前記第２スイッチ素子とをオンさせて前記第１ＬＥＤと前記第２ＬＥＤとを並列接続に切り替えて前記整流回路の出力を供給し、前記整流回路の負極端子と前記複数のＬＥＤのカソードとの間に接続されるスイッチ素子はＭＯＳＦＥＴからなり、該ＭＯＳＦＥＴはセンスＭＯＳを備え、前記複数のＬＥＤに流れる電流を検出する電流検出回路を形成することを特徴とする。
【発明の効果】
【０００９】
本発明に係るＬＥＤ駆動回路によれば、各々のＬＥＤ間にダイオードを介在させた回路に、電流検出回路で検出された電流に応じて第１スイッチ素子と第２スイッチ素子のオン／オフを制御し、制御回路は、電流検出回路の電流値が第１所定値を超えたとき第１スイッチ素子と第２スイッチ素子とをオフさせ第１ＬＥＤと第２ＬＥＤとを直列接続に切り替え、電流値が第１所定値より小さい第２所定値未満となったとき第１スイッチ素子と第２スイッチ素子とをオンさせ第１ＬＥＤと第２ＬＥＤとを並列接続に切り替えて整流回路の出力を供給するので、均一な明るさでＬＥＤを点灯でき、しかも低価格化及び小型化できるＬＥＤ駆動回路及びＬＥＤ照明装置を提供できる。
【図面の簡単な説明】
【００１０】
【図１】本発明の実施例１に係るＬＥＤ駆動回路の構成を示す回路図である。
【図２】本発明の実施例１に係るＬＥＤ駆動回路の動作を示す波形図である。
【図３】本発明の実施例２に係るＬＥＤ駆動回路の構成を示す回路図である。
【図４】本発明の実施例２に係るＬＥＤ駆動回路の要部を簡略化して示す図である。
【図５】本発明の実施例２に係るＬＥＤ駆動回路の動作を示すタイミングチャートである。
【図６】本発明の実施例３に係るＬＥＤ駆動回路の構成を示す回路図である。
【図７】本発明の実施例３に係るＬＥＤ駆動回路の動作を示すタイミングチャートである。
【図８】本発明の実施例４に係るＬＥＤ駆動回路の構成を示す回路図である。
【図９】本発明の実施例５に係るＬＥＤ駆動回路の構成を示す回路図である。
【図１０】本発明の実施例５に係るＬＥＤ駆動回路の要部を簡略化して示す図である。
【図１１】本発明の実施例５に係るＬＥＤ駆動回路の動作を示すタイミングチャートである。
【発明を実施するための形態】
【００１１】
以下、本発明の実施の形態のＬＥＤ駆動回路を図面を参照しながら、詳細に説明する。
【実施例１】
【００１２】
図１は本発明の実施例１に係るＬＥＤ駆動回路の構成を示す回路図である。ＬＥＤ駆動回路は、交流電源Ｅ、ダイオードＤ１〜Ｄ６、ツェナーダイオードＤＺ１、抵抗Ｒ１〜Ｒ９、コンデンサＣ１、ＬＥＤ１〜ＬＥＤ２、スイッチ素子Ｑ１〜Ｑ３、オペアンプＩＣ１及び基準電源Ｖｒｅｆを備える。
【００１３】
スイッチ素子Ｑ１は、例えばＮチャンネルＭＯＳＦＥＴからなり、スイッチ素子Ｑ２は、例えばＰチャンネルＭＯＳＦＥＴからなる。スイッチ素子Ｑ３は、例えばＮＰＮ型のバイポーラトランジスタからなる。オペアンプＩＣ１は、ヒステリシスを有するコンパレータとして機能する。
【００１４】
ダイオードＤ１〜Ｄ４は、ダイオードブリッジＤＢを構成し、ダイオードＤ１のアノードとダイオードＤ２のカソードとの接続点と、ダイオードＤ３のアノードとダイオードＤ４のカソードとの接続点との間に交流電源Ｅが接続される。ダイオードＤ１のカソードとダイオードＤ３のカソードとの接続点（正極端子）と、ダイオードＤ２のアノードとダイオードＤ４のアノードとの接続点（負極端子）との間から脈動する直流が出力される。
【００１５】
ダイオードブリッジＤＢの正極端子は、抵抗Ｒ１を介してＬＥＤ１のアノードに接続され、負極端子は、抵抗Ｒ８を介してＬＥＤ２のカソードに接続されている。抵抗Ｒ８は、本発明の電流検出回路に対応する。ＬＥＤ１のカソードはダイオードＤ６のアノードに接続され、ダイオードＤ６のカソードは、ＬＥＤ２のアノードに接続されている。
【００１６】
ＬＥＤ１のカソードとダイオードＤ６のアノードとの接続点は、スイッチ素子Ｑ１のドレインに接続されている。スイッチ素子Ｑ１のソースは、ＬＥＤ２のカソードと抵抗Ｒ８との接続点（ａ点）に接続され、ゲートは、抵抗Ｒ７を介してオペアンプＩＣ１の出力端子に接続されている。
【００１７】
ダイオードＤ６のカソードとＬＥＤ２のアノードとの接続点には、ダイオードＤ５のカソードが接続され、ダイオードＤ５のアノードは、抵抗Ｒ３を介してスイッチ素子Ｑ２のドレインに接続されている。スイッチ素子Ｑ２のソースは、ダイオードブリッジＤＢの正極端子に接続され、ゲートは、抵抗Ｒ２を介してスイッチ素子Ｑ２のソースに接続されている。ツェナーダイオードＤＺ１は、抵抗Ｒ２に並列に接続されている。
【００１８】
オペアンプＩＣ１の反転入力端子（−）は、コンデンサＣ１を介してダイオードブリッジＤＢの負極端子に接続されるとともに、抵抗Ｒ９を介してａ点に接続されている。オペアンプＩＣ１の非反転入力端子（＋）は、基準電源Ｖｒｅｆに接続されている。オペアンプＩＣ１の出力端子は、抵抗Ｒ４を介してスイッチ素子Ｑ３のベースに接続されている。
【００１９】
スイッチ素子Ｑ３のコレクタは、抵抗Ｒ６を介してスイッチ素子Ｑ２のゲートに接続され、エミッタは、ダイオードブリッジＤＢの負極端子に接続されている。スイッチ素子Ｑ３のベースは、オペアンプＩＣ１の出力端子とダイオードブリッジＤＢの負極端子との間に直列接続された抵抗Ｒ４と抵抗Ｒ５との接続点に接続されている。オペアンプＩＣ１、コンデンサＣ１、基準電源Ｖｒｅｆ、抵抗Ｒ９、Ｒ５及びＲ７、及びスイッチ素子Ｑ３は、本発明の制御回路を構成する。
【００２０】
次に、このように構成される実施例１に係るＬＥＤ駆動回路の動作を説明する。ダイオードブリッジＤＢは、交流電源Ｅから入力された交流を直流（脈流）に変換し、正極端子と負極端子との間から出力する。
【００２１】
抵抗Ｒ８に流れる電流が小さく、ａ点の電圧が基準電源Ｖｒｅｆから印加される電圧より小さい場合には、オペアンプＩＣ１の出力はＨレベルになる。このため、スイッチ素子Ｑ１のゲートにＨレベルが印加されて、スイッチ素子Ｑ１はオンする。これにより、ＤＢの正極端子→Ｒ１→ＬＥＤ１→Ｑ１→Ｒ８→ＤＢの負極端子の経路Ｐ１で電流が流れる。
【００２２】
また、オペアンプＩＣ１の出力がＨレベルになると、スイッチ素子Ｑ３のベースには、オペアンプＩＣ１からのＨレベルを抵抗Ｒ４と抵抗Ｒ５とで分圧した電圧が印加されて、スイッチ素子Ｑ３はオンする。このため、スイッチ素子Ｑ２のゲートには、ダイオードブリッジＤＢから出力される低い電圧が印加され、スイッチ素子Ｑ２はオンする。これにより、ＤＢの正極端子→Ｑ２→Ｒ３→Ｄ５→ＬＥＤ２→Ｒ８→ＤＢの負極端子の経路Ｐ２で電流が流れる。
【００２３】
このように、抵抗Ｒ８に流れる電流が小さく、ａ点の電圧が基準電源Ｖｒｅｆの電圧より小さい場合には、ＬＥＤ１とＬＥＤ２の並列回路が形成される。その結果、低い電圧で大きい電流が流れる状態になる。
【００２４】
次に、ダイオードブリッジＤＢの出力が変化してａ点の電圧が基準電源Ｖｒｅｆの電圧より大きくなると、オペアンプＩＣ１の出力はＬレベルになる。このため、スイッチ素子Ｑ１のゲートにはＬレベルが印加されて、スイッチ素子Ｑ１はオフする。
【００２５】
また、オペアンプＩＣ１の出力がＬレベルになると、スイッチ素子Ｑ３のベースには、Ｌレベルが印加され、スイッチ素子Ｑ３はオフする。このため、スイッチ素子Ｑ２のゲートにはＨレベルが印加され、スイッチ素子Ｑ２はオフする。これにより、ＤＢの正極端子→Ｒ１→ＬＥＤ１→Ｄ６→ＬＥＤ２→Ｒ８→ＤＢの負極端子の経路Ｐ３で電流が流れる。
【００２６】
このように、抵抗Ｒ８に流れる電流が大きくなって、ａ点の電圧が基準電源Ｖｒｅｆからの電圧より大きくなると、ＬＥＤ１とＬＥＤ２の直列回路が形成される。その結果、高い電圧で小さい電流が流れる状態に切り替わる。
【００２７】
図２は以上の動作を示す波形図である。スイッチ素子Ｑ１及びスイッチ素子Ｑ２が両方ともオンになると、ＬＥＤ１及びＬＥＤ２の並列回路が形成され、ａ点の電流は増加する。そして、電流値が所定値Ｉ0を超えてスイッチ素子Ｑ１及びスイッチ素子Ｑ２が両方ともオフに切り替わると、ＬＥＤ１及びＬＥＤ２の直列回路が形成され、ａ点の電流は直列回路を流れるに切り替わる。即ち、電流が一旦減少した後に増加し、その後、ピークを経過した後に減少する。そして、電流値が所定値Ｉ1未満になってスイッチ素子Ｑ１及びスイッチ素子Ｑ２が両方ともオンに切り替わると、再びＬＥＤ１及びＬＥＤ２の並列回路が形成され、ａ点の電流は急激に増加し、その後、ピークを経過した後に減少する。なお、オペアンプＩＣ１はヒステリシスを有し、Ｉ0＞Ｉ1となるように動作する。
【００２８】
このように実施例１に係るＬＥＤ駆動回路によれば、ＬＥＤ１とＬＥＤ２との間にダイオードＤ６を介在させた回路に、抵抗Ｒ８を流れる電流に応じてスイッチ素子Ｑ１とスイッチ素子Ｑ２のオン／オフを制御し、ＬＥＤ１とＬＥＤ２を直列接続または並列接続に切り替えてダイオードブリッジＤＢの出力を供給するので、従来のＬＥＤ駆動回路に比較して回路を簡素化できる。
【００２９】
実施例１に係るＬＥＤ駆動回路では、従来から行われている入力電圧を検出して切り替えるよりも、ＬＥＤ１及びＬＥＤ２に流れる電流を検出して切り替えるので、温度変化、ＬＥＤ１及びＬＥＤ２のＶＦばらつき等を考慮した場合、ＬＥＤに過電流を流さない時点で切り替えることができるので、信頼性が向上するという利点がある。
【００３０】
なお、上述した実施例１に係るＬＥＤ駆動回路では、スイッチ素子Ｑ１及びスイッチ素子Ｑ２は、ＭＯＳＦＥＴに限定されず、トランジスタ、フォトカプラ等で構成できる。また、ＬＥＤ１及びＬＥＤ２の各々は単一のＬＥＤで構成されるものとして説明したが、ＬＥＤ１及びＬＥＤ２の各々は、複数のＬＥＤからなるＬＥＤアレイでも構成できる。この場合、各ＬＥＤアレイの接続状態及び特性は同一とすることが好ましい。
【実施例２】
【００３１】
図３は本発明の実施例２に係るＬＥＤ駆動回路の構成を示す回路図である。ＬＥＤ駆動回路は、基本的な構成及び動作は、実施例１に係るＬＥＤ駆動回路と同じであるので、以下では、同じ部分については説明を簡略化する場合もある。
【００３２】
ダイオードＤ１〜Ｄ４は、ダイオードブリッジＤＢを構成し、ダイオードＤ１のアノードとダイオードＤ２のカソードとの接続点と、ダイオードＤ３のアノードとダイオードＤ４のカソードとの接続点との間に交流電源Ｅが接続される。ダイオードＤ１のカソードとダイオードＤ３のカソードとの接続点（正極端子）と、ダイオードＤ２のアノードとダイオードＤ４のアノードとの接続点（負極端子）との間から脈動する直流が出力される。
【００３３】
ダイオードブリッジＤＢの正極端子と負極端子との間には、ＬＥＤ１、抵抗Ｒ１１、ダイオードＤ７、ＬＥＤ２、抵抗Ｒ１２、ダイオードＤ８、ＬＥＤ３及び抵抗Ｒ１３が直列に接続された第１直列回路と、ＬＥＤ４、抵抗Ｒ５１、ダイオードＤ５７、ＬＥＤ５、抵抗Ｒ５２、ダイオードＤ５８、ＬＥＤ６及び抵抗Ｒ５３が直列に接続された第２直列回路が接続されている。
【００３４】
ＬＥＤ１、抵抗Ｒ１１、ダイオードＤ７、ＬＥＤ２、抵抗Ｒ１２及びダイオードＤ８からなる直列回路には、スイッチ素子Ｑｂ４が並列に接続され、そのゲートは、スイッチ素子Ｑ８のドレインとダイオードブリッジＤＢの正極端子との間に直列接続された抵抗Ｒ４と抵抗Ｒ６との接続点に接続されている。抵抗Ｒ６には、並列にツェナーダイオードＤＺ１が接続されている。
【００３５】
ＬＥＤ１、抵抗Ｒ１１及びダイオードＤ７からなる直列回路には、スイッチ素子Ｑｂ５が並列に接続され、そのゲートは、スイッチ素子Ｑ８のドレインとダイオードブリッジＤＢの正極端子との間に直列接続された抵抗Ｒ５と抵抗Ｒ７との接続点に接続されている。抵抗Ｒ７には、並列にツェナーダイオードＤＺ２が接続されている。
【００３６】
ダイオードＤ７、ＬＥＤ２、抵抗Ｒ１２、ダイオードＤ８、ＬＥＤ３及び抵抗Ｒ１３からなる直列回路には、スイッチ素子Ｑｂ６が並列に接続され、そのゲートは、抵抗Ｒ６を介してオペアンプＩＣ２の出力端子に接続されている。
【００３７】
ダイオードＤ８、ＬＥＤ３及び抵抗Ｒ１３からなる直列回路には、スイッチ素子Ｑａ１が並列に接続され、そのゲートは、抵抗Ｒ１を介してオペアンプＩＣ１の出力端子に接続されている。
【００３８】
ＬＥＤ４、抵抗Ｒ５１、ダイオードＤ５７、ＬＥＤ５、抵抗Ｒ５２及びダイオードＤ５８からなる直列回路には、スイッチ素子Ｑｂ９が並列に接続され、そのゲートは、スイッチ素子Ｑ８のドレインとダイオードブリッジＤＢの正極端子との間に直列接続された抵抗Ｒ５４と抵抗Ｒ５６との接続点に接続されている。抵抗Ｒ５６には、並列にツェナーダイオードＤＺ３が接続されている。
【００３９】
ＬＥＤ４、抵抗Ｒ５１及びダイオードＤ５７からなる直列回路には、スイッチ素子Ｑａ２が並列に接続され、そのゲートは、スイッチ素子Ｑ７のドレインとダイオードブリッジＤＢの正極端子との間に直列接続された抵抗Ｒ５５と抵抗Ｒ５７との接続点に接続されている。抵抗Ｒ５７には、並列にツェナーダイオードＤＺ４が接続されている。
【００４０】
ダイオードＤ５７、ＬＥＤ５、抵抗Ｒ５２、ダイオードＤ５８、ＬＥＤ６及び抵抗Ｒ５３からなる直列回路には、スイッチ素子Ｑｂ１１が並列に接続され、そのゲートは、抵抗Ｒ６６を介してオペアンプＩＣ２の出力端子に接続されている。
【００４１】
ダイオードＤ５８、ＬＥＤ６及び抵抗Ｒ５３からなる直列回路には、スイッチ素子Ｑｂ１０が並列に接続され、そのゲートは、抵抗Ｒ６１を介してオペアンプＩＣ１の出力端子に接続されている。
【００４２】
さらに、ＬＥＤ４のカソードとＬＥＤ３のアノードとの間には、抵抗Ｒ５１、スイッチ素子Ｑａ３及びダイオードＤ９からなる直列回路が挿入され、スイッチ素子Ｑａ３のゲートは、スイッチ素子Ｑ７のドレインとスイッチ素子Ｑａ３のソースとの間にダイオードＤ１２を介して直列接続された抵抗Ｒ３と抵抗Ｒ８との接続点に接続されている。抵抗Ｒ８には、並列にツェナーダイオードＤＺ５が接続されている。
【００４３】
オペアンプＩＣ１の反転入力端子（−）は、抵抗Ｒ１０及び抵抗Ｒ６２を介してＬＥＤ３のカソードと抵抗Ｒ１３の接続点、及び、抵抗Ｒ１０及び抵抗Ｒ６３を介してＬＥＤ６のカソードと抵抗Ｒ５３の接続点に接続されるとともに、抵抗Ｒ１５を介してツェナーダイオードＤＺ７のアノードに接続されている。ツェナーダイオードＤＺ７のカソードは、ツェナーダイオードＤＺ６のアノードに接続され、ツェナーダイオードＤＺ６のカソードはダイオードブリッジＤＢの正極端子に接続されている。ツェナーダイオードＤＺ７及びＤＺ６は、電源投入時、ＬＥＤ接続が全並列接続となって過大な電流が流れることを防止するためのバイアスをオペアンプＩＣ１及びＩＣ２に付与するために設けられている。
【００４４】
オペアンプＩＣ１の非反転入力端子（＋）は、抵抗Ｒ１１を介して基準電源Ｖｒ１に接続されている。オペアンプＩＣ１の出力端子と非反転入力端子（＋）との間には、ダイオードＤ１０及び抵抗Ｒ１４からなる直列回路が設けられている。オペアンプＩＣ１の出力端子は、抵抗Ｒ１を介してスイッチ素子Ｑａ１のゲートに接続されるとともに、抵抗Ｒ１６を介してスイッチ素子Ｑ７のゲートに接続されている。スイッチ素子Ｑ７のゲートは、さらに、抵抗Ｒ１７を介してダイオードブリッジＤＢの負極端子に接続されている。
【００４５】
スイッチ素子Ｑ７のドレインは、抵抗Ｒ５５を介してスイッチ素子Ｑａ２のゲートに接続されるとともに、ダイオードＤ１２及び抵抗Ｒ３を介してスイッチ素子Ｑａ３のゲートに接続されている。スイッチ素子Ｑ７のソースは、ダイオードブリッジＤＢの負極端子に接続されている。
【００４６】
オペアンプＩＣ２の反転入力端子（−）は、抵抗Ｒ１９及び抵抗Ｒ６２を介してＬＥＤ３のカソードと抵抗Ｒ１３の接続点、及び、抵抗Ｒ１９及び抵抗Ｒ６３を介してＬＥＤ６のカソードと抵抗Ｒ５３の接続点に接続されるとともに、抵抗Ｒ１８を介してツェナーダイオードＤＺ７のカソードとツェナーダイオードＤＺ６のアノードの接続点に接続されている。
【００４７】
オペアンプＩＣ２の非反転入力端子（＋）は、抵抗Ｒ２０を介して、基準電源Ｖｒ１に並列に設けられて直列接続された抵抗Ｒ１２と抵抗Ｒ１３との接続点に接続されている。オペアンプＩＣ２の出力端子と非反転入力端子（＋）との間には、ダイオードＤ１１及び抵抗Ｒ２１からなる直列回路が設けられている。また、オペアンプＩＣ２の出力端子は、抵抗Ｒ６を介してスイッチ素子Ｑｂ６のゲートに接続され、抵抗Ｒ６１を介してスイッチ素子Ｑｂ１０のゲートに接続され、抵抗Ｒ６６を介してスイッチ素子Ｑｂ１１のゲートに接続されている。
【００４８】
オペアンプＩＣ２の出力端子は、抵抗Ｒ２２を介してスイッチ素子Ｑ８のゲートに接続され、スイッチ素子Ｑ８のゲートは、さらに、抵抗Ｒ２３を介してダイオードブリッジＤＢの負極端子に接続されている。
【００４９】
スイッチ素子Ｑ８のドレインは、抵抗Ｒ４を介してスイッチ素子Ｑｂ４のゲートに接続され、抵抗Ｒ５を介してスイッチ素子Ｑｂ５のゲートに接続され、抵抗Ｒ５４を介してスイッチ素子Ｑｂ９のゲートに接続されている。スイッチ素子Ｑ８のソースは、ダイオードブリッジＤＢの負極端子に接続されている。
【００５０】
図４は、図３に示したＬＥＤ駆動回路の要部を簡略化して示す図である。図４を参照しながら実施例２に係るＬＥＤ駆動回路の動作を説明する。ＬＥＤ駆動回路は、以下の３つの動作モードで動作する。
【００５１】
（１）６並列
ＬＥＤ１〜ＬＥＤ６の各々に、ダイオードブリッジＤＢの出力が供給される。この状態は、図４に示す全てのスイッチ素子Ｑａ１、Ｑａ２、Ｑａ３、Ｑｂ４、Ｑｂ５、Ｑｂ６、Ｑｂ９、Ｑｂ１０及びＱｂ１１をオンすることにより実現される。これにより、ＬＥＤ１→Ｑｂ６、Ｑｂ５→ＬＥＤ２→Ｑａ１、Ｑｂ４→ＬＥＤ３、ＬＥＤ４→Ｑｂ１１、Ｑａ２→ＬＥＤ５→Ｑｂ１０及びＱｂ９→ＬＥＤ６の６つの経路に並列に電流が流れて、ＬＥＤ１〜ＬＥＤ６の全てが点灯する。
【００５２】
（２）２直列３並列
ＬＥＤ１とＬＥＤ２からなる直列回路、ＬＥＤ３とＬＥＤ４からなる直列回路、及び、ＬＥＤ５とＬＥＤ６からなる直列回路の３組の直列回路の各々に、ダイオードブリッジＤＢの出力が供給される。この状態は、図４に示すスイッチ素子Ｑａ１、Ｑａ２及びＱａ３をオンし、スイッチ素子Ｑｂ４、Ｑｂ５、Ｑｂ６、Ｑｂ９、Ｑｂ１０及びＱｂ１１をオフすることにより実現される。これにより、ＬＥＤ１→Ｄ７→ＬＥＤ２→Ｑａ１、ＬＥＤ４→Ｑａ３→Ｄ９→ＬＥＤ３及びＱａ２→ＬＥＤ５→Ｄ５８→ＬＥＤ６の３つの経路に並列に電流が流れて、ＬＥＤ１〜ＬＥＤ６の全てが点灯する。
【００５３】
（３）３直列２並列
ＬＥＤ１、ＬＥＤ２及びＬＥＤ３からなる直列回路と、ＬＥＤ４、ＬＥＤ５及びＬＥＤ６からなる直列回路の２組の直列回路の各々に、ダイオードブリッジＤＢの出力が供給される。この状態は、図４に示す全てのスイッチ素子Ｑａ１、Ｑａ２、Ｑａ３、Ｑｂ４、Ｑｂ５、Ｑｂ６、Ｑｂ９、Ｑｂ１０及びＱｂ１１をオフにすることにより実現される。これにより、ＬＥＤ１→Ｄ７→ＬＥＤ２→Ｄ８→ＬＥＤ３及びＬＥＤ４→Ｄ５７→ＬＥＤ５→Ｄ５８→ＬＥＤ６の２つの経路に並列に電流が流れて、ＬＥＤ１〜ＬＥＤ６の全てが点灯する。
【００５４】
図５は実施例２に係るＬＥＤ駆動回路の動作を示すタイミングチャートである。図５（ａ）はダイオードブリッジＤＢが出力する脈流の電圧Ｖｉｎを示す。
【００５５】
期間Ｔ１において、図５（ｃ）に示すオペアンプＩＣ２の出力ＩＣ２＿ＯＵＴ及び図５（ｄ）に示すオペアンプＩＣ１の出力ＩＣ１＿ＯＵＴが両方ともＨレベルになると、図５（ｇ）に示すスイッチ素子Ｑａシリーズ（Ｑａ１、Ｑａ２及びＱａ３）及び図５（ｈ）に示すスイッチ素子Ｑｂシリーズ（Ｑｂ４、Ｑｂ５、Ｑｂ６、Ｑｂ９、Ｑｂ１０及びＱｂ１１）がオンする。その結果、上述した６並列の動作になり、ＬＥＤ１〜ＬＥＤ６に流れるＬＥＤ電流は、図５（ｂ）の期間Ｔ１に示すように変化する。このとき、オペアンプＩＣ２の入力端子ＩＣ２＿ＩＮ（反転入力端子（−）及び非反転入力端子（＋））には、図５（ｅ）に示す信号が入力され、オペアンプＩＣ１の入力端子ＩＣ２＿ＩＮ（反転入力端子（−）及び非反転入力端子（＋））には、図５（ｆ）に示す信号が入力される。
【００５６】
次に、期間Ｔ２において、図５（ｃ）に示すオペアンプＩＣ２の出力ＩＣ２＿ＯＵＴの出力がＬレベルに変化し、図５（ｄ）に示すオペアンプＩＣ１の出力ＩＣ１＿ＯＵＴがＨレベルを維持すると、図５（ｇ）に示すスイッチ素子Ｑａシリーズはオン状態を維持するが、図５（ｈ）に示すスイッチ素子Ｑｂシリーズがオフ状態に変化する。その結果、上述した２直列３並列の動作になり、ＬＥＤ電流は、図５（ｂ）の期間Ｔ２に示すように変化する。この際、オペアンプＩＣ２の入力端子ＩＣ２＿ＩＮには、図５（ｅ）の期間Ｔ２に示す信号が入力され、オペアンプＩＣ１の入力端子ＩＣ２＿ＩＮには、図５（ｆ）の期間Ｔ２に示す信号が入力される。
【００５７】
次に、期間Ｔ３において、図５（ｃ）に示すオペアンプＩＣ２の出力ＩＣ２＿ＯＵＴの出力がＬレベルを維持し、図５（ｄ）に示すオペアンプＩＣ１の出力ＩＣ１＿ＯＵＴがＬレベルに変化すると、図５（ｇ）に示すスイッチ素子Ｑａシリーズ及び図５（ｈ）に示すスイッチ素子Ｑｂシリーズは両方ともオフ状態になる。その結果、上述した３直列２並列の動作になり、ＬＥＤ電流は、図５（ｂ）の期間Ｔ３に示すように変化する。この際、オペアンプＩＣ２の入力端子ＩＣ２＿ＩＮには、図５（ｅ）の期間Ｔ３に示す信号が入力され、オペアンプＩＣ１の入力端子ＩＣ２＿ＩＮには、図５（ｆ）の期間Ｔ３に示す信号が入力される。
【００５８】
次に、期間Ｔ４において、図５（ｃ）に示すオペアンプＩＣ２の出力ＩＣ２＿ＯＵＴの出力がＬレベルを維持し、図５（ｄ）に示すオペアンプＩＣ１の出力ＩＣ１＿ＯＵＴがＨレベルに変化すると、図５（ｇ）に示すスイッチ素子Ｑａシリーズはオン状態に変化し、図５（ｈ）に示すスイッチ素子Ｑｂシリーズがオフ状態を維持する。その結果、上述した２直列３並列の動作になり、ＬＥＤ電流は、図５（ｂ）の期間Ｔ４に示すように変化する。この際、オペアンプＩＣ２の入力端子ＩＣ２＿ＩＮには、図５（ｅ）の期間Ｔ４に示す信号が入力され、オペアンプＩＣ１の入力端子ＩＣ２＿ＩＮには、図５（ｆ）の期間Ｔ４に示す信号が入力される。以降は、同様の動作が繰り返される。
【００５９】
このように実施例２に係るＬＥＤ駆動回路によれば、従来のＬＥＤ駆動回路では、ＬＥＤのアレイを２列まで並列駆動するのに対し、３列以上の並列駆動を行うことができるので、入力電流の導通角をさらに広げることができ、力率も高めることができる。
【実施例３】
【００６０】
図６は本発明の実施例３に係るＬＥＤ駆動回路の構成を示す回路図である。ＬＥＤ駆動回路は、基本的な構成及び動作は、実施例１に係るＬＥＤ駆動回路と同じであるので、以下では、同じ部分については説明を簡略化する場合もある。
【００６１】
ダイオードブリッジＤＢの正極端子と負極端子との間には、ＬＥＤ１、抵抗Ｒ１１、ダイオードＤ７、ＬＥＤ２、抵抗Ｒ１２、ダイオードＤ８、ＬＥＤ３、抵抗Ｒ１３、ダイオードＤ９、ＬＥＤ４及び抵抗Ｒ１４が直列に接続された直列回路が設けられている。
【００６２】
ＬＥＤ１、抵抗Ｒ１１、ダイオードＤ７、ＬＥＤ２、抵抗Ｒ１２及びダイオードＤ８からなる直列回路には、スイッチ素子Ｑ２が並列に接続され、そのゲートは、スイッチ素子Ｑ７のドレインとダイオードブリッジＤＢの正極端子との間に直列接続された抵抗Ｒ２と抵抗Ｒ６との接続点に接続されている。抵抗Ｒ６には、並列にツェナーダイオードＤＺ１が接続されている。
【００６３】
ＬＥＤ１、抵抗Ｒ１１及びダイオードＤ７からなる直列回路には、スイッチ素子Ｑ５が並列に接続され、そのゲートは、スイッチ素子Ｑ８のドレインとダイオードブリッジＤＢの正極端子との間に直列接続された抵抗Ｒ５と抵抗Ｒ７との接続点に接続されている。抵抗Ｒ７には、並列にツェナーダイオードＤＺ２が接続されている。
【００６４】
ＬＥＤ３、抵抗Ｒ１３及びダイオードＤ９からなる直列回路には、スイッチ素子Ｑ６が並列に接続され、そのゲートは、スイッチ素子Ｑ８のドレインとダイオードブリッジＤＢの正極端子との間にダイオードＤ１２を介して直列接続された抵抗Ｒ６と抵抗Ｒ８との接続点に接続されている。抵抗Ｒ８には、並列にツェナーダイオードＤＺ３が接続されている。
【００６５】
ダイオードＤ７、ＬＥＤ２、抵抗Ｒ１２、ダイオードＤ８、ＬＥＤ３、抵抗Ｒ１３、ダイオードＤ９、ＬＥＤ４及び抵抗Ｒ１４からなる直列回路には、スイッチ素子Ｑ３が並列に接続され、そのゲートは、抵抗Ｒ３を介してオペアンプＩＣ２の出力端子に接続されている。
【００６６】
ダイオードＤ８、ＬＥＤ３、抵抗Ｒ１３、ダイオードＤ９、ＬＥＤ４及び抵抗Ｒ１４からなる直列回路には、スイッチ素子Ｑ１が並列に接続され、そのゲートは、抵抗Ｒ１を介してオペアンプＩＣ１の出力端子に接続されている。
【００６７】
ダイオードＤ９、ＬＥＤ４及び抵抗Ｒ１４からなる直列回路には、スイッチ素子Ｑ４が並列に接続され、そのゲートは、抵抗Ｒ４を介してオペアンプＩＣ２の出力端子に接続されている。
【００６８】
オペアンプＩＣ１の反転入力端子（−）は、抵抗Ｒ１０を介してＬＥＤ４のカソードと抵抗Ｒ１４の接続点に接続されるとともに、抵抗Ｒ１５を介してツェナーダイオードＤＺ７のアノードに接続されている。ツェナーダイオードＤＺ７のカソードは、ツェナーダイオードＤＺ６のアノードに接続され、ツェナーダイオードＤＺ６のカソードはダイオードブリッジＤＢの正極端子に接続されている。ツェナーダイオードＤＺ７及びＤＺ６は、電源投入時、ＬＥＤ接続が全並列接続となって過大な電流が流れることを防止するためのバイアスをオペアンプＩＣ１及びＩＣ２に付与するために設けられている。
【００６９】
オペアンプＩＣ１の非反転入力端子（＋）は、抵抗Ｒ１１を介して基準電源Ｖｒ１に接続されている。オペアンプＩＣ１の出力端子と非反転入力端子（＋）との間には、ダイオードＤ１０及び抵抗Ｒ１４からなる直列回路が設けられている。オペアンプＩＣ１の出力端子は、抵抗Ｒ１を介してスイッチ素子Ｑ１のゲートに接続されるとともに、抵抗Ｒ１６を介してスイッチ素子Ｑ７のゲートに接続されている。スイッチ素子Ｑ７のゲートは、抵抗Ｒ１７を介してダイオードブリッジＤＢの負極端子に接続されている。
【００７０】
スイッチ素子Ｑ７のドレインは、抵抗Ｒ２を介してスイッチ素子Ｑ２のゲートに接続されている。スイッチ素子Ｑ７のソースは、ダイオードブリッジＤＢの負極端子に接続されている。
【００７１】
オペアンプＩＣ２の反転入力端子（−）は、抵抗Ｒ１９を介してＬＥＤ４のカソードと抵抗Ｒ１４の接続点に接続されるとともに、抵抗Ｒ１８を介してツェナーダイオードＤＺ７のカソードとツェナーダイオードＤＺ６のアノードの接続点に接続されている。
【００７２】
オペアンプＩＣ２の非反転入力端子（＋）は、抵抗Ｒ２０を介して、基準電源Ｖｒ１に並列に設けられて直列接続された抵抗Ｒ１２と抵抗Ｒ１３との接続点に接続されている。オペアンプＩＣ２の出力端子と非反転入力端子（＋）との間には、ダイオードＤ１１及び抵抗Ｒ２１からなる直列回路が設けられている。オペアンプＩＣ２の出力端子は、抵抗Ｒ３を介してスイッチ素子Ｑ３のゲートに接続されるとともに、抵抗Ｒ４を介してスイッチ素子Ｑ４のゲートに接続されている。オペアンプＩＣ２の出力端子は、抵抗Ｒ２２を介してスイッチ素子Ｑ８のゲートに接続され、スイッチ素子Ｑ８のゲートは、抵抗Ｒ２３を介してダイオードブリッジＤＢの負極端子に接続されている。
【００７３】
スイッチ素子Ｑ８のドレインは、抵抗Ｒ５を介してスイッチ素子Ｑ５のゲートに接続されるとともに、ダイオードＤ１２及び抵抗Ｒ６を介してスイッチ素子Ｑ６のゲートに接続されている。スイッチ素子Ｑ８のソースは、ダイオードブリッジＤＢの負極端子に接続されている。
【００７４】
次に、実施例３に係るＬＥＤ駆動回路の動作を説明する。ＬＥＤ駆動回路は、以下の３つの動作モードで動作する。
【００７５】
（１）４並列
ＬＥＤ１〜ＬＥＤ４の各々に、ダイオードブリッジＤＢの出力が供給される。この状態は、図６に示す全てのスイッチ素子Ｑ１〜Ｑ８をオンすることにより実現される。これにより、ＬＥＤ１→Ｑ３、Ｑ５→ＬＥＤ２→Ｑ１、Ｑ２→ＬＥＤ３→Ｑ４及びＱ２→Ｑ６→ＬＥＤ４（なお、電流が経由する抵抗の記述は省略しており、以下においても同じである）の４つの経路に並列に電流が流れて、ＬＥＤ１〜ＬＥＤ４の全てが点灯する。
【００７６】
（２）２直列２並列
ＬＥＤ１とＬＥＤ２からなる直列回路及びＬＥＤ３とＬＥＤ４からなる直列回路の２組の直列回路の各々に、ダイオードブリッジＤＢの出力が供給される。この状態は、図６に示すスイッチ素子Ｑ１、Ｑ２及びＱ７をオンし、スイッチ素子Ｑ３、Ｑ４、Ｑ５、Ｑ６及びＱ８をオフすることにより実現される。これにより、ＬＥＤ１→Ｄ７→ＬＥＤ２→Ｑ１及びＱ２→ＬＥＤ３→Ｄ９→ＬＥＤ４の２つの経路に並列に電流が流れて、ＬＥＤ１〜ＬＥＤ４の全てが点灯する。
【００７７】
（３）４直列
ＬＥＤ１〜ＬＥＤ４からなる直列回路に、ダイオードブリッジＤＢの出力が供給される。この状態は、図６に示す全てのスイッチ素子Ｑ１〜Ｑ８をオフすることにより実現される。これにより、ＬＥＤ１→Ｄ７→ＬＥＤ２→Ｄ８→ＬＥＤ３→Ｄ９→ＬＥＤ４の経路に電流が流れ、ＬＥＤ１〜ＥＤ４の全てが点灯する。
【００７８】
図７は実施例３に係るＬＥＤ駆動回路の動作を示すタイミングチャートである。図７（ａ）はダイオードブリッジＤＢが出力する脈流の電圧Ｖｉｎを示す。
【００７９】
期間Ｔ１において、図７（ｃ）に示すオペアンプＩＣ２の出力ＩＣ２＿ＯＵＴ及び図７（ｄ）に示すオペアンプＩＣ１の出力ＩＣ１＿ＯＵＴが両方ともＨレベルになることにより、図７（ｇ）に示すスイッチ素子Ｑ１、Ｑ２及びＱ７、ならびに、図７（ｈ）に示すスイッチ素子Ｑ３、Ｑ４、Ｑ５、Ｑ６及びＱ８がオンになる。その結果、上述した４並列の動作になり、ＬＥＤ１〜ＬＥＤ４に流れるＬＥＤ電流は、図７（ｂ）の期間Ｔ１に示すように変化する。このときオペアンプＩＣ２の入力端子ＩＣ２＿ＩＮ（反転入力端子（−）及び非反転入力端子（＋））には、図７（ｅ）に示す信号が入力され、オペアンプＩＣ１の入力端子ＩＣ２＿ＩＮ（反転入力端子（−）及び非反転入力端子（＋））には、図７（ｆ）に示す信号が入力される。
【００８０】
次に、期間Ｔ２において、図７（ｃ）に示すオペアンプＩＣ２の出力ＩＣ２＿ＯＵＴの出力がＬレベルに変化し、図７（ｄ）に示すオペアンプＩＣ１の出力ＩＣ１＿ＯＵＴがＨレベルを維持すると、図７（ｇ）に示すスイッチ素子Ｑ１、Ｑ２及びＱ７はオン状態を維持するが、図７（ｈ）に示すスイッチ素子Ｑ３、Ｑ４、Ｑ５、Ｑ６及びＱ８がオフ状態に変化する。このため、上述した２直列２並列の動作になり、ＬＥＤ電流は、図７（ｂ）の期間Ｔ２に示すように変化する。このとき、オペアンプＩＣ２の入力端子ＩＣ２＿ＩＮには、図７（ｅ）の期間Ｔ２に示す信号が入力され、オペアンプＩＣ１の入力端子ＩＣ２＿ＩＮには、図７（ｆ）の期間Ｔ２に示す信号が入力される。
【００８１】
次に、期間Ｔ３において、図７（ｃ）に示すオペアンプＩＣ２の出力ＩＣ２＿ＯＵＴの出力がＬレベルを維持し、図７（ｄ）に示すオペアンプＩＣ１の出力ＩＣ１＿ＯＵＴがＬレベルに変化すると、図７（ｇ）に示すスイッチ素子Ｑ１、Ｑ２及びＱ７及び図７（ｈ）に示すスイッチ素子Ｑ３、Ｑ４、Ｑ５、Ｑ６及びＱ８の全てがオフ状態になる。その結果、上述した４直列の動作になり、ＬＥＤ電流は、図７（ｂ）の期間Ｔ３に示すように変化する。このとき、オペアンプＩＣ２の入力端子ＩＣ２＿ＩＮには、図７（ｅ）の期間Ｔ３に示す信号が入力され、オペアンプＩＣ１の入力端子ＩＣ２＿ＩＮには、図７（ｆ）の期間Ｔ３に示す信号が入力される。
【００８２】
次に、期間Ｔ４において、図７（ｃ）に示すオペアンプＩＣ２の出力ＩＣ２＿ＯＵＴの出力がＬレベルを維持し、図７（ｄ）に示すオペアンプＩＣ１の出力ＩＣ１＿ＯＵＴがＨレベルに変化すると、図７（ｇ）に示すスイッチ素子Ｑ１、Ｑ２及びＱ７はオン状態に変化し、図７（ｈ）に示すスイッチ素子Ｑ３、Ｑ４、Ｑ５、Ｑ６及びＱ８がオフ状態を維持する。このため、上述した２直列２並列の動作になり、ＬＥＤ電流は、図７（ｂ）の期間Ｔ４に示すように変化する。このとき、オペアンプＩＣ２の入力端子ＩＣ２＿ＩＮには、図７（ｅ）の期間Ｔ４に示す信号が入力され、オペアンプＩＣ１の入力端子ＩＣ２＿ＩＮには、図７（ｆ）の期間Ｔ４に示す信号が入力される。以降は、同様の動作が繰り返される。
【００８３】
このように実施例３に係るＬＥＤ駆動回路によれば、従来のＬＥＤ駆動回路では、ＬＥＤのアレイを２列まで並列駆動するのに対し、３列以上の並列駆動を行うことができるので、入力電流の導通角をさらに広げることができ、力率も高めることができる。
【実施例４】
【００８４】
図８は本発明の実施例４に係るＬＥＤ駆動回路の構成を示す回路図である。ＬＥＤ駆動回路は、実施例３に係るＬＥＤ駆動回路に、電流検出用のセンスＭＯＳを追加したものである。以下では、実施例３と異なる部分を中心に説明する。
【００８５】
このＬＥＤ駆動回路は、実施例３に係るＬＥＤ駆動回路におけるスイッチ素子Ｑ１、Ｑ３及びＱ４をＭＯＳＦＥＴからなるスイッチ素子Ｑ１ｍ、Ｑ３ｍ及びＱ４ｍでそれぞれ構成し、スイッチ素子Ｑ９ｍと、センスＭＯＳとしてのスイッチ素子Ｑ１ｓ、Ｑ３ｓ、Ｑ４ｓ及びＱ９ｓと各センス電流信号を検出するためのスイッチ素子Ｑ１ｂ，Ｑ３ｂ，Ｑ４ｂ，Ｑ９ｂとを追加して電流検出を行うように構成されている。スイッチ素子Ｑ９ｍのドレインは、スイッチ素子Ｑ９ｓのドレインに接続され、スイッチ素子Ｑ９ｓのソースは抵抗Ｒ１４を介してダイオードブリッジＤＢの負極端子に接続され、スイッチ素子Ｑ９ｍ，Ｑ９ｓ，Ｑ９ｂの各ゲートは抵抗Ｒ９を介して電源Ｖｃｃに接続されている。
【００８６】
スイッチ素子Ｑ１ｓのドレインはスイッチ素子Ｑ１ｍのドレインに接続され、ソースは抵抗Ｒ１ｓを介してダイオードブリッジＤＢの負極端子に接続され、ゲートはスイッチ素子Ｑ１ｍとＱ１ｂのゲートに接続されている。スイッチ素子Ｑ３ｓのドレインはスイッチ素子Ｑ３ｍのドレインに接続され、スイッチ素子Ｑ３のソースは抵抗Ｒｓ３を介してダイオードブリッジＤＢの負極端子に接続され、ゲートはスイッチ素子Ｑ３ｍとＱ３ｂのゲートに接続されている。スイッチ素子Ｑ４ｓのドレインはスイッチ素子Ｑ４ｍのドレインに接続され、ソースは抵抗Ｒ４ｓを介してダイオードブリッジＤＢの負極端子に接続され、ゲートはスイッチ素子Ｑ４ｍとＱ４ｂのゲートに接続されている。
【００８７】
スイッチ素子Ｑ９ｂのソースはスイッチ素子Ｑ９ｓのソースと抵抗Ｒ９ｓとの接続点に接続され、ドレインはスイッチ素子Ｑ１ｂ，Ｑ３ｂ，Ｑ４ｂのドレイン端子に接続され、抵抗Ｒ１８を介してオペアンプＩＣ２の反転端子及び抵抗Ｒ１０を介してオペアンプＩＣ１の反転端子に接続されている。また、スイッチ素子Ｑ１ｂのソースはスイッチ素子Ｑ１ｓのソースと抵抗Ｒ１ｓとの接続点に接続され、スイッチ素子Ｑ３ｂのソースはスイッチ素子Ｑ３ｓのソースと抵抗Ｒ３ｓとの接続点に接続され、スイッチ素子Ｑ４ｂのソースはスイッチ素子Ｑ４ｓのソースと抵抗Ｒ４ｓとの接続点に接続されている。
【００８８】
このように構成される実施例４に係るＬＥＤ駆動回路によれば、センスＭＯＳによってＬＥＤ１〜ＬＥＤ４に流れる電流を検出し、その結果をオペアンプＩＣ１及びオペアンプＩＣ２に供給するので、電流検出の精度が向上する。
【実施例５】
【００８９】
図９は本発明の実施例５に係るＬＥＤ駆動回路の構成を示す回路図である。ＬＥＤ駆動回路は、基本的な構成及び動作は、実施例１に係るＬＥＤ駆動回路と同じであるので、以下では、同じ部分については説明を簡略化する場合もある。
【００９０】
ダイオードＤ１〜Ｄ４は、ダイオードブリッジＤＢを構成し、ダイオードＤ１のアノードとダイオードＤ２のカソードとの接続点と、ダイオードＤ３のアノードとダイオードＤ４のカソードとの接続点との間に交流電源Ｅが接続される。ダイオードＤ１のカソードとダイオードＤ３のカソードとの接続点（正極端子）と、ダイオードＤ２のアノードとダイオードＤ４のアノードとの接続点（負極端子）との間から脈動する直流が出力される。
【００９１】
ダイオードブリッジＤＢの正極端子と負極端子との間には、ＬＥＤ１、抵抗、ダイオード、ＬＥＤ２、抵抗、ダイオード、ＬＥＤ３、抵抗、ダイオード、ＬＥＤ４及び抵抗Ｒ４が直列に接続された第１直列回路と、ＬＥＤ５、抵抗、ダイオード、ＬＥＤ６、抵抗、ダイオード、ＬＥＤ７、抵抗、ダイオード、ＬＥＤ８及び抵抗Ｒ８が直列に接続された第２直列回路と、ＬＥＤ９、抵抗、ダイオード、ＬＥＤ１０、抵抗、ダイオード、ＬＥＤ１１、抵抗、ダイオード、ＬＥＤ１２及び抵抗Ｒ１２が直列に接続された第３直列回路が設けられている。
【００９２】
第１直列回路の一部を構成する、ＬＥＤ１、抵抗、ダイオード、ＬＥＤ２、抵抗及びダイオードからなる直列回路には、スイッチ素子Ｑｂ１０が並列に接続されている。ＬＥＤ１、抵抗及びダイオードからなる直列回路には、スイッチ素子Ｑａ１１が並列に接続されている。ＬＥＤ１、抵抗、ダイオード、ＬＥＤ２、抵抗、ダイオード、ＬＥＤ３、抵抗及びダイオードからなる直列回路には、スイッチ素子Ｑａ１２が並列に接続されている。
【００９３】
ダイオード、ＬＥＤ２、抵抗、ダイオード、ＬＥＤ３、抵抗、ダイオード、ＬＥＤ４及び抵抗Ｒ４からなる直列回路には、スイッチ素子Ｑａ１が並列に接続され、そのゲートは、抵抗を介してオペアンプＩＣ３の出力端子に接続されている。
【００９４】
ダイオード、ＬＥＤ３、抵抗、ダイオード、ＬＥＤ４及び抵抗Ｒ４からなる直列回路には、スイッチ素子Ｑｂ２が並列に接続され、そのゲートは、抵抗を介してオペアンプＩＣ２の出力端子に接続されている。
【００９５】
ダイオード、ＬＥＤ４及び抵抗Ｒ４からなる直列回路には、スイッチ素子Ｑｃ３が並列に接続され、そのゲートは、抵抗を介してオペアンプＩＣ１の出力端子に接続されている。
【００９６】
第２直列回路の一部を構成する、ＬＥＤ５、抵抗及びダイオードからなる直列回路には、スイッチ素子Ｑａ１３が並列に設けられている。ＬＥＤ５、抵抗、ダイオード、ＬＥＤ６、抵抗及びダイオードからなる直列回路には、スイッチ素子Ｑｂ１４が並列に接続されている。ＬＥＤ５、抵抗、ダイオード、ＬＥＤ６、抵抗、ダイオード、ＬＥＤ７、抵抗及びダイオードからなる直列回路には、スイッチ素子Ｑａ１５が並列に接続されている。
【００９７】
ＬＥＤ６のカソード側とＬＥＤ４のアノード側との間には、抵抗及びダイオードを介在させてスイッチ素子Ｑｃ１９が設けられている。ダイオード、ＬＥＤ７、抵抗、ダイオード、ＬＥＤ８及び抵抗Ｒ８からなる直列回路には、スイッチ素子Ｑｂ４が並列に接続され、そのゲートは、抵抗を介してオペアンプＩＣ２の出力端子に接続されている。ダイオード、ＬＥＤ８及び抵抗Ｒ８からなる直列回路には、スイッチ素子Ｑａ５が並列に接続され、そのゲートは、抵抗を介してオペアンプＩＣ３の出力端子に接続されている。
【００９８】
ダイオード、ＬＥＤ６、抵抗、ダイオード、ＬＥＤ７、抵抗、ダイオード、ＬＥＤ８及び抵抗Ｒ８からなる直列回路には、スイッチ素子Ｑａ６が並列に接続され、そのゲートは、抵抗を介してオペアンプＩＣ３の出力端子に接続されている。
【００９９】
第３直列回路の一部を構成する、ＬＥＤ９、抵抗及びダイオードからなる直列回路には、スイッチ素子Ｑａ１６が並列に接続されている。ＬＥＤ９、抵抗、ダイオード、ＬＥＤ１０、抵抗及びダイオードからなる直列回路には、スイッチ素子Ｑａ１７が並列に接続されている。ＬＥＤ９、抵抗、ダイオード、ＬＥＤ１０、抵抗、ダイオード、ＬＥＤ１１、抵抗及びダイオードからなる直列回路には、スイッチ素子Ｑａ１８が並列に接続されている。
【０１００】
ＬＥＤ９のカソード側とＬＥＤ７のアノード側との間には、抵抗及びダイオードを介在させてスイッチ素子Ｑｃ２０が設けられている。ダイオード、ＬＥＤ１１、抵抗、ダイオード、ＬＥＤ１２及び抵抗Ｒ１２からなる直列回路には、スイッチ素子Ｑｂ７が並列に接続され、そのゲートは、抵抗を介してオペアンプＩＣ２の出力端子に接続されている。ダイオード、ＬＥＤ１２及び抵抗Ｒ１２からなる直列回路には、スイッチ素子Ｑａ９が並列に設けられており、そのゲートは、抵抗を介してオペアンプＩＣ３の出力端子に接続されている。
【０１０１】
ダイオード、ＬＥＤ１０、抵抗、ダイオード、ＬＥＤ１１、抵抗、ダイオード、ＬＥＤ１２及び抵抗Ｒ１２からなる直列回路には、スイッチ素子Ｑａ８が並列に接続され、そのゲートは、抵抗を介してオペアンプＩＣ３の出力端子に接続されている。
【０１０２】
オペアンプＩＣ１の反転入力端子（−）は、抵抗Ｒ５０及び他の抵抗を介してＬＥＤ４のカソードと抵抗Ｒ４の接続点、抵抗Ｒ５０及び他の抵抗を介してＬＥＤ９のカソードと抵抗Ｒ８の接続点、及び、抵抗Ｒ５０及び他の抵抗を介してＬＥＤ１２のカソードと抵抗Ｒ１２の接続点に接続されるとともに、抵抗Ｒ５５を介してツェナーダイオードＤＺ１３のアノードに接続されている。ツェナーダイオードＤＺ１３のカソードは、ツェナーダイオードＤＺ１２のアノードに接続され、ツェナーダイオードＤＺ１２のカソードは、ツェナーダイオードＤＺ１１のアノードに接続され、ツェナーダイオードＤＺ１１のカソードはダイオードブリッジＤＢの正極端子に接続されている。ツェナーダイオードＤＺ１１〜ＤＺ１３は、電源投入時、ＬＥＤ接続が全並列接続となって過大な電流が流れることを防止するためのバイアスをオペアンプＩＣ１〜ＩＣ３に付与するために設けられている。
【０１０３】
オペアンプＩＣ１の非反転入力端子（＋）は、抵抗Ｒ５１を介して基準電源Ｖｒ１に接続されている。オペアンプＩＣ１の出力端子と非反転入力端子（＋）との間には、ダイオードＤ５０及び抵抗Ｒ５４からなる直列回路が設けられている。オペアンプＩＣ１の出力端子は、抵抗を介してスイッチ素子Ｑｃ３のゲートに接続されるとともに、抵抗Ｒ５６を介してスイッチ素子Ｑ５１のゲートに接続されている。スイッチ素子Ｑ５１のゲートは、さらに、抵抗Ｒ５７を介してダイオードブリッジＤＢの負極端子に接続されている。
【０１０４】
スイッチ素子Ｑ５１のドレインは、抵抗を介してスイッチ素子Ｑｃ１６のゲートに接続されるとともに、抵抗を介してスイッチ素子Ｑｃ２０のゲートに接続され、さらに、ダイオード及び抵抗を介してスイッチ素子Ｑｃ１９のゲートに接続されている。また、スイッチ素子Ｑ５１のソースは、ダイオードブリッジＤＢの負極端子に接続されている。
【０１０５】
オペアンプＩＣ２の反転入力端子（−）は、抵抗Ｒ５９及び他の抵抗を介してＬＥＤ４のカソードと抵抗Ｒ４の接続点、抵抗Ｒ５９及び他の抵抗を介してＬＥＤ８のカソードと抵抗Ｒ８の接続点、及び、抵抗Ｒ５９及び他の抵抗を介してＬＥＤ１２のカソードと抵抗Ｒ１２の接続点に接続されるとともに、抵抗Ｒ５８を介してツェナーダイオードＤＺ１２のカソードとツェナーダイオードＤＺ１１のアノードの接続点に接続されている。
【０１０６】
オペアンプＩＣ２の非反転入力端子（＋）は、抵抗Ｒ６０を介して、基準電源Ｖｒ１に並列に設けられて直列接続された抵抗Ｒ５２、抵抗Ｒ５３及び抵抗Ｒ５３ａのうちの抵抗Ｒ５２と抵抗Ｒ５３との接続点に接続されている。オペアンプＩＣ２の出力端子と非反転入力端子（＋）との間には、ダイオードＤ５１及び抵抗Ｒ６１からなる直列回路が設けられている。オペアンプＩＣ２の出力端子は、スイッチ素子Ｑｂ２、スイッチ素子Ｑｂ４及びスイッチ素子Ｑｂ７の各々のゲートにそれぞれ抵抗を介して接続されている。オペアンプＩＣ２の出力端子は、抵抗Ｒ６２を介してスイッチ素子Ｑ５２のゲートに接続され、スイッチ素子Ｑ５２のゲートは、抵抗Ｒ６３を介してダイオードブリッジＤＢの負極端子に接続されている。
【０１０７】
スイッチ素子Ｑ５２のドレインは、スイッチ素子Ｑｂ１０、スイッチ素子Ｑｂ１４及びスイッチ素子Ｑｂ１７の各々のゲートにそれぞれ抵抗を介して接続されている。スイッチ素子Ｑ５２のソースは、ダイオードブリッジＤＢの負極端子に接続されている。
【０１０８】
オペアンプＩＣ３の反転入力端子（−）は、抵抗Ｒ６５及び他の抵抗を介してＬＥＤ４のカソードと抵抗Ｒ４の接続点、抵抗Ｒ６５及び他の抵抗を介してＬＥＤ８のカソードと抵抗Ｒ８の接続点、及び、抵抗Ｒ６５及び他の抵抗を介してＬＥＤ１２のカソードと抵抗Ｒ１２の接続点に接続されるとともに、抵抗Ｒ６４を介してツェナーダイオードＤＺ１３のカソードとツェナーダイオードＤＺ１２のアノードの接続点に接続されている。
【０１０９】
オペアンプＩＣ３の非反転入力端子（＋）は、抵抗Ｒ６６を介して、基準電源Ｖｒ１に並列に設けられて直列接続された抵抗Ｒ５２、抵抗Ｒ５３及び抵抗Ｒ５３ａのうちの抵抗Ｒ５３と抵抗Ｒ５３ａとの接続点に接続されている。オペアンプＩＣ３の出力端子と非反転入力端子（＋）との間には、ダイオードＤ５２及び抵抗Ｒ６７からなる直列回路が設けられている。オペアンプＩＣ３の出力端子は、スイッチ素子Ｑａ１、スイッチ素子Ｑａ５、スイッチ素子Ｑａ６、スイッチ素子Ｑａ８及びスイッチ素子Ｑａ９の各々のゲートにそれぞれ抵抗を介して接続されている。オペアンプＩＣ３の出力端子は、抵抗Ｒ６８を介してスイッチ素子Ｑ５３のゲートに接続され、スイッチ素子Ｑ５３のゲートは、さらに、抵抗Ｒ６９を介してダイオードブリッジＤＢの負極端子に接続されている。
【０１１０】
スイッチ素子Ｑ５３のドレインは、スイッチ素子Ｑａ１１、スイッチ素子Ｑａ１２、スイッチ素子Ｑａ１３、スイッチ素子Ｑａ１５及びスイッチ素子Ｑａ１８の各々のゲートにそれぞれ抵抗を介して接続されている。スイッチ素子Ｑ５３のソースは、ダイオードブリッジＤＢの負極端子に接続されている。
【０１１１】
オペアンプＩＣ２の出力端子及びオペアンプＩＣ３の出力端子は、エクスルーシブノア（ＥＸＮＯＲ）ゲートの入力端子に接続され、ＥＸＮＯＲゲートの出力端子は、スイッチ素子Ｑ５１のゲートに接続されている。
【０１１２】
図１０は図９に示したＬＥＤ駆動回路の要部を簡略化して示す図である。図１０を参照しながら実施例５に係るＬＥＤ駆動回路の動作を説明する。ＬＥＤ駆動回路は、以下の４つの動作モードで動作する。
【０１１３】
（１）１２並列
ＬＥＤ１〜ＬＥＤ１２の各々に、ダイオードブリッジＤＢの出力が供給される。この状態は、図１０に示す全てのスイッチ素子をオンすることにより実現される。これにより、ＬＥＤ１→Ｑａ１、Ｑａ１１→ＬＥＤ２→Ｑｂ２、Ｑｂ１０→ＬＥＤ３→Ｑｃ３、Ｑａ１２→ＬＥＤ４、ＬＥＤ５→Ｑａ６、Ｑａ１３→ＬＥＤ６→Ｑｂ４、Ｑｂ１４→ＬＥＤ７→Ｑａ５、Ｑａ１５→ＬＥＤ８、ＬＥＤ９→Ｑａ８、Ｑｃ１６→ＬＥＤ１０→Ｑｂ７、Ｑｂ１７→ＬＥＤ１１→Ｑａ９及びＱａ１８→ＬＥＤ１２といった１２の経路に並列に電流が流れて、ＬＥＤ１〜ＬＥＤ１２の全てが点灯する。
【０１１４】
（２）２直列６並列
ＬＥＤ１とＬＥＤ２からなる直列回路、ＬＥＤ３とＬＥＤ４からなる直列回路、ＬＥＤ５とＬＥＤ６からなる直列回路、ＬＥＤ７とＬＥＤ８からなる直列回路、ＬＥＤ９とＬＥＤ１０からなる直列回路、ＬＥＤ１１とＬＥＤ１２からなる直列回路の６組の直列回路の各々に、ダイオードブリッジＤＢの出力が供給される。この状態は、図１０に示すＱｂシリーズのスイッチ素子Ｑｂ２、Ｑｂ４、Ｑｂ７、Ｑｂ１０、Ｑｂ１４及びＱｂ１７をオンし、その他のスイッチ素子をオフすることにより実現される。これにより、ＬＥＤ１→ＬＥＤ２→Ｑｂ２、Ｑｂ１０→ＬＥＤ３→ＬＥＤ４、ＬＥＤ５→ＬＥＤ６→Ｑｂ４、Ｑｂ１４→ＬＥＤ７→ＬＥＤ８、ＬＥＤ９→ＬＥＤ１０→Ｑｂ７及びＱｂ１７→ＬＥＤ１１→ＬＥＤ１２の６つの経路に並列に電流が流れて、ＬＥＤ１〜ＬＥＤ１２の全てが点灯する。
【０１１５】
（３）３直列４並列
ＬＥＤ１、ＬＥＤ２及びＬＥＤ３からなる直列回路と、ＬＥＤ４、ＬＥＤ５及びＬＥＤ６からなる直列回路と、ＬＥＤ７、ＬＥＤ８及びＬＥＤ９からなる直列回路と、ＬＥＤ１０、ＬＥＤ１１及びＬＥＤ１２からなる直列回路の４組の直列回路の各々に、ダイオードブリッジＤＢの出力が供給される。この状態は、図１０に示すＱｃシリーズのスイッチ素子Ｑｃ３、Ｑｃ１６、Ｑｃ１９、Ｑｃ２０をオンし、その他のスイッチ素子をオフすることにより実現される。これにより、ＬＥＤ１→ＬＥＤ２→ＬＥＤ３→Ｑｃ３、ＬＥＤ５→ＬＥＤ６→Ｑｃ１９→ＬＥＤ４、ＬＥＤ９→Ｑｃ２０→ＬＥＤ７→ＬＥＤ８、Ｑｃ１６→ＬＥＤ１０→ＬＥＤ１１→ＬＥＤ１２の４つの経路に並列に電流が流れて、ＬＥＤ１〜ＬＥＤ１２の全てが点灯する。
【０１１６】
（４）４直列３並列
ＬＥＤ１、ＬＥＤ２、ＬＥＤ３及びＬＥＤ４からなる直列回路と、ＬＥＤ５、ＬＥＤ６、ＬＥＤ７及びＬＥＤ８からなる直列回路と、ＬＥＤ９、ＬＥＤ１０、ＬＥＤ１１及びＬＥＤ１２からなる直列回路の３組の直列回路の各々に、ダイオードブリッジＤＢの出力が供給される。この状態は、図１０に示す全てのスイッチ素子をオフすることにより実現される。これにより、ＬＥＤ１→ＬＥＤ２→ＬＥＤ３→ＬＥＤ４、ＬＥＤ５→ＬＥＤ６→ＬＥＤ７→ＬＥＤ８及びＬＥＤ９→ＬＥＤ１０→ＬＥＤ１１→ＬＥＤ１２の３つの経路に並列に電流が流れて、ＬＥＤ１〜ＬＥＤ６の全てが点灯する。
【０１１７】
図１１は実施例５に係るＬＥＤ駆動回路の動作を示すタイミングチャートである。図１１（ａ）は、ダイオードブリッジＤＢが出力する脈流の電圧Ｖｉｎを示す。
【０１１８】
期間Ｔ１において、図１１（ｃ）に示すオペアンプＩＣ３の出力ＩＣ３＿ＯＵＴ、図１１（ｄ）に示すオペアンプＩＣ２の出力ＩＣ２＿ＯＵＴ及び図１１（ｅ）に示すオペアンプＩＣ１の出力ＩＣ１＿ＯＵＴが全てＨレベルになることにより、図１１（ｉ）に示すスイッチ素子Ｑａシリーズ（Ｑａ１、Ｑａ５、Ｑａ６、Ｑａ８、Ｑａ９、Ｑａ１１、Ｑａ１２、Ｑａ１３、Ｑａ１５及びＱａ１８）、図１１（ｊ）に示すスイッチ素子Ｑｂシリーズ（Ｑｂ２、Ｑｂ４、Ｑｂ７、Ｑｂ１０、Ｑｂ１４及びＱｂ１７）及び図１１（ｋ）に示すスイッチ素子Ｑｃシリーズ（Ｑｃ３、Ｑｃ１６、Ｑｃ１９及びＱｃ２０）がオンになる。このため、上述した１２並列の動作になり、ＬＥＤ１〜ＬＥＤ１２に流れるＬＥＤ電流は、図１１（ｂ）の期間Ｔ１に示すように変化する。このとき、オペアンプＩＣ３の入力端子ＩＣ３＿ＩＮ（反転入力端子（−）及び非反転入力端子（＋））には、図１１（ｆ）に示す信号が入力され、オペアンプＩＣ２の入力端子ＩＣ２＿ＩＮ（反転入力端子（−）及び非反転入力端子（＋））には、図１１（ｇ）に示す信号が入力され、オペアンプＩＣ１の入力端子ＩＣ２＿ＩＮ（反転入力端子（−）及び非反転入力端子（＋））には、図１１（ｈ）に示す信号が入力される。
【０１１９】
次に、期間Ｔ２において、図１１（ｃ）に示すオペアンプＩＣ３の出力ＩＣ３＿ＯＵＴの出力及び図１１（ｅ）に示すオペアンプＩＣ１の出力ＩＣ１＿ＯＵＴの出力がＬレベルに変化し、図１１（ｄ）に示すオペアンプＩＣ２の出力ＩＣ２＿ＯＵＴがＨレベルを維持すると、図１１（ｊ）に示すスイッチ素子Ｑｂシリーズはオン状態を維持するが、図１１（ｋ）に示すスイッチ素子Ｑａシリーズと図１１（ｉ）に示すスイッチ素子Ｑｃシリーズがオフ状態に変化する。このため、上述した２直列６並列の動作になり、ＬＥＤ電流は、図１１（ｂ）の期間Ｔ２に示すように変化する。このとき、オペアンプＩＣ３の入力端子ＩＣ３＿ＩＮには、図１１（ｆ）の期間Ｔ２に示す信号が入力され、オペアンプＩＣ２の入力端子ＩＣ２＿ＩＮには、図１１（ｇ）の期間Ｔ２に示す信号が入力され、オペアンプＩＣ１の入力端子ＩＣ１＿ＩＮには、図１１（ｈ）の期間Ｔ２に示す信号が入力される。
【０１２０】
次に、期間Ｔ３において、図１１（ｃ）に示すオペアンプＩＣ３の出力ＩＣ３＿ＯＵＴの出力がＬレベルを維持し、図１１（ｄ）に示すオペアンプＩＣ２の出力ＩＣ２＿ＯＵＴの出力がＬレベルに変化し、図１１（ｅ）に示すオペアンプＩＣ１の出力ＩＣ１＿ＯＵＴがＨレベルに変化すると、図１１（ｉ）に示すスイッチ素子Ｑｃシリーズはオン状態に変化するが、図１１（ｊ）に示すスイッチ素子Ｑｂシリーズはオフ状態に変化し、図１１（ｋ）に示すスイッチ素子Ｑａシリーズはオフ状態を維持する。このため、上述した３直列４並列の動作になり、ＬＥＤ１〜ＬＥＤ６に流れるＬＥＤ電流は、図１１（ｂ）の期間Ｔ３に示すように変化する。この際、オペアンプＩＣ３の入力端子ＩＣ３＿ＩＮには、図１１（ｆ）の期間Ｔ３に示す信号が入力され、オペアンプＩＣ２の入力端子ＩＣ２＿ＩＮには、図１１（ｇ）の期間Ｔ３に示す信号が入力され、オペアンプＩＣ１の入力端子ＩＣ１＿ＩＮには、図１１（ｈ）の期間Ｔ３に示す信号が入力される。
【０１２１】
次に、期間Ｔ４において、図１１（ｃ）に示すオペアンプＩＣ３の出力ＩＣ３＿ＯＵＴの出力及び図１１（ｄ）に示すオペアンプＩＣ２の出力ＩＣ２＿ＯＵＴの出力がＬレベルを維持し、図１１（ｅ）に示すオペアンプＩＣ１の出力ＩＣ１＿ＯＵＴがＬレベルに変化すると、図１１（ｉ）に示すスイッチ素子Ｑｃシリーズはオフ状態に変化し、図１１（ｊ）に示すスイッチ素子Ｑｂシリーズ及び図１１（ｋ）に示すスイッチ素子Ｑａシリーズはオフ状態を維持する。このため、上述した４直列３並列の動作になり、ＬＥＤ電流は、図１１（ｂ）の期間Ｔ４に示すように変化する。このとき、オペアンプＩＣ３の入力端子ＩＣ３＿ＩＮには、図１１（ｆ）の期間Ｔ４に示す信号が入力され、オペアンプＩＣ２の入力端子ＩＣ２＿ＩＮには、図１１（ｇ）の期間Ｔ４に示す信号が入力され、オペアンプＩＣ１の入力端子ＩＣ１＿ＩＮには、図１１（ｈ）の期間Ｔ４に示す信号が入力される。
【０１２２】
次に、期間Ｔ５において、図１１（ｃ）に示すオペアンプＩＣ３の出力ＩＣ３＿ＯＵＴの出力及び図１１（ｄ）に示すオペアンプＩＣ２の出力ＩＣ２＿ＯＵＴの出力がＬレベルを維持し、図１１（ｅ）に示すオペアンプＩＣ１の出力ＩＣ１＿ＯＵＴがＨレベルに変化すると、図１１（ｉ）に示すスイッチ素子Ｑｃシリーズはオン状態に変化し、図１１（ｊ）に示すスイッチ素子Ｑｂシリーズ及び図１１（ｋ）に示すスイッチ素子Ｑａシリーズはオフ状態を維持する。このため、上述した３直列４並列の動作になり、ＬＥＤ電流は、図１１（ｂ）の期間Ｔ５に示すように変化する。このとき、オペアンプＩＣ３の入力端子ＩＣ３＿ＩＮには、図１１（ｆ）の期間Ｔ５に示す信号が入力され、オペアンプＩＣ２の入力端子ＩＣ２＿ＩＮには、図１１（ｇ）の期間Ｔ５に示す信号が入力され、オペアンプＩＣ１の入力端子ＩＣ２＿ＩＮには、図１１（ｈ）の期間Ｔ５に示す信号が入力される。
【０１２３】
次に、期間Ｔ６において、図１１（ｃ）に示すオペアンプＩＣ３の出力ＩＣ３＿ＯＵＴがＬレベルを維持し、図１１（ｄ）に示すオペアンプＩＣ２の出力ＩＣ２＿ＯＵＴがＨレベルに変化し、図１１（ｅ）に示すオペアンプＩＣ１の出力ＩＣ１＿ＯＵＴの出力がＬレベルに変化すると、図１１（ｉ）に示すスイッチ素子Ｑｃシリーズはオフ状態に変化し、図１１（ｊ）に示すスイッチ素子Ｑｂシリーズはオン状態に変化し、図１１（ｋ）に示すスイッチ素子Ｑａシリーズがオフ状態を維持する。このため、上述した２直列６並列の動作になり、ＬＥＤ電流は、図１１（ｂ）の期間Ｔ６に示すように変化する。このとき、オペアンプＩＣ３の入力端子ＩＣ３＿ＩＮには、図１１（ｆ）の期間Ｔ６に示す信号が入力され、オペアンプＩＣ２の入力端子ＩＣ２＿ＩＮには、図１１（ｇ）の期間Ｔ６に示す信号が入力され、オペアンプＩＣ１の入力端子ＩＣ２＿ＩＮには、図１１（ｈ）の期間Ｔ６に示す信号が入力される。以降は、同様の動作が繰り返される。
【０１２４】
このように実施例５に係るＬＥＤ駆動回路によれば、従来のＬＥＤ駆動回路では、ＬＥＤのアレイを２列まで並列駆動するのに対し、３列以上の並列駆動を行うことができるので、入力電流の導通角をさらに広げることができ、力率も高めることができる。
【０１２５】
なお、上述した実施例１〜実施例５に係るＬＥＤ駆動装置は、ＬＥＤ以外の回路を集積回路で構成することができる。また、上述した実施例１〜実施例５に係るＬＥＤ駆動装置を用いて、ＬＥＤ照明装置を構成することができる。
【産業上の利用可能性】
【０１２６】
本発明は、複数のＬＥＤを駆動して安定的に点灯させるＬＥＤ照明装置に適用可能である。
【符号の説明】
【０１２７】
Ｅ  交流電源
ＤＢ  ダイオードブリッジ
Ｑ  スイッチ素子
Ｒ  抵抗
Ｃ  コンデンサ
Ｄ  ダイオード
ＤＺ  ツェナーダイオード
Ｖｒｅｆ、Ｖｒ１  基準電源
【図１】
0005821321.tif 000002
【図２】
0005821321.tif 000003
【図３】
0005821321.tif 000004
【図４】
0005821321.tif 000005
【図５】
0005821321.tif 000006
【図６】
0005821321.tif 000007
【図７】
0005821321.tif 000008
【図８】
0005821321.tif 000009
【図９】
0005821321.tif 000010
【図１０】
0005821321.tif 000011
【図１１】
0005821321.tif 000012